(57)【要約】【課題】狭隘箇所を容易に洗浄することができる洗浄ガンを得る。【解決手段】流路管８の一端に把手９を設け、また把手９に近接してレバー機構１０を設けレバー１２を把手９から離して配置する。また、流路管８の反把手９側に突出した支持腕１５を設け突出端に回動腕１６を枢着する。そして、可撓管１７の一端を流路管８の支持腕１５側に接続し、他端にノズル１８を接続して回動腕１６の回動端に取付ける。また、連結条体１９によりレバー１２と可撓管１７のノズル１８箇所を連結しレバー１２の変位をノズル１８に伝達する。これによって、洗浄作業時に作業員がレバー１２を押し把手９に近づけると、可撓管１７が伸長姿勢から屈曲姿勢となり狭隘な場所でノズル１８を所要方向に向け、狭隘な場所を容易に洗浄でき洗浄作業能率を向上する。【選択図】　　　　図１
2004050050.tif 000002
【特許請求の範囲】
【請求項１】
長柄を形成する流路管と、この流路管の一端に設けられた把手と、上記流路管に装着されて上記把手に近接して配置され、付勢されて常時は上記把手から離れた位置に保持されるレバーを有するレバー機構と、上記流路管の他端に装着されて上記流路管の他端から突出して設けられた支持腕と、この支持腕の突出端に一端が枢着された回動腕と、一端が上記流路管の上記支持腕側に接続され、他端にはノズルが接続されてこの他端が上記ノズル部位を介して上記回動腕の回動端に取付けられた可撓管と、一端が上記レバーに連結され、他端は上記回動腕の回動端及び上記ノズル部位のいずれかに連結されて、上記レバーの変位を上記ノズルに伝達する連結条体とを備えた洗浄ガン。
【発明の詳細な説明】
【０００１】
【発明の属する技術分野】
この発明は、長柄の先端にノズルが装着され、供給される洗浄液によって主として狭隘箇所を洗浄する洗浄ガンに関する。
【０００２】
【従来の技術】
図４及び図５は、従来の洗浄ガンを示す図で、図４は洗浄ガンの使用状況を示す図、図５は図４の洗浄ガンのノズル箇所の拡大図である。図において、１は洗浄ガンで、流路管からなる長柄２及び長柄２の先端に固定されたノズル３によって構成されている。４は長柄２の反ノズル３側に接続された洗浄液の供給ホースである。５は洗浄する空気調和装置の熱交換器で、アルミフィン６、シロッコファン７が設けられている。
【０００３】
【発明が解決しようとする課題】
上記のような従来の洗浄ガン１は長柄２の先端にノズル３が固定されている。このため、熱交換器５等の洗浄時に熱交換器５内の狭隘な場所に洗浄ガン１のノズル３を対向させることが困難であって、狭隘な場所の洗浄ができなかったり、洗浄に長時間を要し作業能率が低いという問題点があった。
【０００４】
この発明は、かかる問題点を解消するためになされたものであり、狭隘箇所を容易に洗浄することができる洗浄ガンを得ることを目的とする。
【０００５】
【課題を解決するための手段】
この発明に係る洗浄ガンにおいては、長柄を形成する流路管と、この流路管の一端に設けられた把手と、流路管に装着されて把手に近接して配置され、付勢されて常時は把手から離れた位置に保持されるレバーを有するレバー機構と、流路管の他端に装着されて流路管の他端から突出して設けられた支持腕と、この支持腕の突出端に一端が枢着された回動腕と、一端が流路管の支持腕側に接続され、他端にはノズルが接続されてこの他端がノズル部位を介して回動腕の回動端に取付けられた可撓管と、一端がレバーに連結され、他端は回動腕の回動端及びノズル部位のいずれかに連結されて、レバーの変位をノズルに伝達する連結条体とが設けられる。
【０００６】
【発明の実施の形態】
実施の形態１．
図１〜図３は、この発明の実施の形態の一例を示す図で、図１は正面図、図２は図１の可撓管の自由姿勢時を示す拡大図、図３は図１のレバー機構箇所の拡大図である。図において、８は長柄を形成する流路管、４は流路管８の一端に接続された洗浄液の供給ホース、９は流路管８の供給ホース４の接続端側に設けられた把手である。
【０００７】
１０はレバー機構で、流路管８に装着されて把手９に近接した位置に配置された取付金具１１、Ｌ字状をなしＬ字の一辺の一端が取付金具１１に枢着されＬ字の他辺が把手９の長手に沿って配置されたレバー１２、レバー１２のＬ字の一辺における長手中間に一端が枢着された作動棒１３及び取付金具１１に設けられて作動棒１３を押圧する圧縮コイルばねからなる付勢体１４によって構成されている。
【０００８】
１５は流路管８の反把手９側の端部に装着されて突出して設けられた支持腕、１６は支持腕１５の突出端に一端が枢着された回動腕、１７は可撓管で、一端が流路管８の支持腕１５側に接続され、他端にはノズル１８が接続されて、この他端がノズル１８部位を介して回動腕１６の回動端に取付けられている。１９は連結条体であり、一端がレバー１２に連結され、他端は回動腕１６の回動端及びノズル１８部位のいずれかに連結されて、レバー１２の変位をノズル１８に伝達する。
【０００９】
上記のように構成された洗浄ガンは、不操作状態では付勢体１４によってレバー１２が図３において反時計方向に付勢されてレバー１２が把手９から離れた所定位置に保持される。この状態では、レバー１２が把手９から離れた位置に配置された状態では可撓管１７が伸長姿勢に配置される。そして、洗浄作業時に作業員の操作によって付勢体１４の付勢力に抗して、レバー１２が把手９に近づく位置に押圧されると、このレバー１２の変位が連結条体１９を介して可撓管１８のノズル部位に伝達される。
【００１０】
これによって、可撓管１７が伸長姿勢から図１に示すように、レバー１２の変位量に対応した屈曲姿勢に変位する。このため、流路管８の長手方向に対してノズル１８の向きを適宜に変化させることができる。そして、前述の熱交換器５等の洗浄時に狭隘な場所において、洗浄ガン１のノズル３を所要の方向に容易に向けることができる。したがって、狭隘な場所を容易に洗浄することができ、また簡易な作業によって短時間に狭隘な場所を洗浄できて洗浄作業能率を向上することができる。
【００１１】
【発明の効果】
この発明は以上説明したように、長柄を形成する流路管と、この流路管の一端に設けられた把手と、流路管に装着されて把手に近接して配置され、付勢されて常時は把手から離れた位置に保持されるレバーを有するレバー機構と、流路管の他端に装着されて流路管の他端から突出して設けられた支持腕と、この支持腕の突出端に一端が枢着された回動腕と、一端が流路管の支持腕側に接続され、他端にはノズルが接続されてこの他端がノズル部位を介して回動腕の回動端に取付けられた可撓管と、一端がレバーに連結され、他端は回動腕の回動端及びノズル部位のいずれかに連結されて、レバーの変位をノズルに伝達する連結条体とを設けたものである。
【００１２】
これによって、洗浄作業時に作業員の操作により把手に近づく位置にレバーが押圧されると、可撓管が伸長姿勢から屈曲姿勢に変位する。このため、流路管の長手方向に対してノズルの向きを適宜に変化させることができ、狭隘な場所においてノズルを容易に所要の方向に向けることができる。したがって、狭隘な場所を容易に洗浄することができ、また簡易な作業によって短時間に狭隘な場所を洗浄できて洗浄作業能率を向上する効果がある。
【図面の簡単な説明】
【図１】この発明の実施の形態１を示す正面図。
【図２】図１の可撓管の自由姿勢時を示す拡大図。
【図３】図１のレバー機構箇所の拡大図。
【図４】従来の洗浄ガンを示す図で、洗浄ガンの使用状況を示す図。
【図５】図４の洗浄ガンのノズル箇所の拡大図。
【符号の説明】
８　流路管、９　把手、１０　レバー機構、１２　レバー、１５　支持腕、１６　回動腕、１７　可撓管、１８　ノズル、１９　連結条体。
【図１】
2004050050.tif 000003
【図２】
2004050050.tif 000004
【図３】
2004050050.tif 000005
【図４】
2004050050.tif 000006
【図５】
2004050050.tif 000007